(57)【要約】【課題】焼きつきを抑制することを可能とするＰＤＰの駆動方法を提供することを目的とする。【解決手段】走査電極および維持電極を形成した前面基板とデータ電極を形成した背面基板とを対向配置した３電極プラズマディスプレイパネルにおいて、一定時間同じ映像が静止することにより、焼きつきが発生した場合、一定時間の間、維持パルス電圧の回収時間を急峻にする（１６ａ→１６ｂ）、および／または、一定時間の間、維持パルス電圧を高くする、ことを特徴とするプラズマディスプレイパネルの駆動方法である。【選択図】図５
2010145905.tif 000002
【特許請求の範囲】
【請求項１】
走査電極および維持電極を形成した前面基板とデータ電極を形成した背面基板とを対向配置した３電極プラズマディスプレイパネルにおいて、一定時間同じ映像が静止することにより、焼きつきが発生した場合、一定時間の間、維持パルス電圧の回収時間を急峻にすることを特徴とするプラズマディスプレイパネルの駆動方法。
【請求項２】
走査電極および維持電極を形成した前面基板とデータ電極を形成した背面基板とを対向配置した３電極プラズマディスプレイパネルにおいて、一定時間同じ映像が静止することにより、焼きつきが発生した場合、一定時間の間、維持パルス電圧を高くすることを特徴とするプラズマディスプレイパネルの駆動方法。
【発明の詳細な説明】
【技術分野】
【０００１】
本発明は、プラズマディスプレイパネルの駆動方法に関するものである。
【背景技術】
【０００２】
プラズマディスプレイパネル（以下、ＰＤＰと略記する）は一般に、ｎ個の走査電極ＳＣＮ１〜ＳＣＮｎおよびｎ個の維持電極ＳＵＳ１〜ＳＵＳｎが対をなして配列された前面基板と、ｍ個のデータ電極Ｄ１〜Ｄｍが配列された背面基板とが放電空間を挟んで互いに対向配置されて構成されている。したがって、１対の走査電極ＳＣＮｉ−維持電極ＳＵＳｉ対（ｉ＝１〜ｎ）と１つのデータ電極Ｄｊ（ｊ＝１〜ｍ）とを含む放電セルが放電空間内に多数（この場合はｍ×ｎ）個形成されている。
【０００３】
また、ＰＤＰを用いた画像表示装置は、映像信号の１フィールド期間を輝度の重み付け（輝度重み）を有する複数のサブフィールドに分割し、各々のサブフィールドで輝度重みに対応した回数だけ放電セルに放電を起こす。そして、放電を起こすサブフィールドを組み合わせることで映像信号の階調を表現する駆動方法が用いられている。この中で、階調表現に関係しない発光の回数を極力減らしコントラスト比を向上するための駆動方法（高コントラスト駆動）が提案されている（例えば特許文献１参照）。
【特許文献１】特開２０００−２４２２２４号公報
【発明の開示】
【発明が解決しようとする課題】
【０００４】
ＰＤＰパネルにおいては、一定時間同じ映像を静止して表示すると、その映像がいわゆる焼きつきとなってしまうという課題がある。
【０００５】
本発明はこのような現状に鑑みなされたもので、焼きつきを抑制することを可能とするＰＤＰの駆動方法を提供することを目的とする。
【課題を解決するための手段】
【０００６】
上記目的を実現するために本発明のＰＤＰの駆動方法は、走査電極および維持電極を形成した前面基板とデータ電極を形成した背面基板とを対向配置した３電極プラズマディスプレイパネルにおいて、一定時間同じ映像が静止することにより、焼きつきが発生した場合、一定時間の間、維持パルス電圧の回収時間を急峻にすることを特徴とするものである。
【０００７】
また、上記目的を実現するために本発明のＰＤＰの駆動方法は、走査電極および維持電極を形成した前面基板とデータ電極を形成した背面基板とを対向配置した３電極プラズマディスプレイパネルにおいて、一定時間同じ映像が静止することにより、焼きつきが発生した場合、一定時間の間、維持パルス電圧を高くすることを特徴とするものである。
【発明の効果】
【０００８】
本発明によれば、焼きつきを抑制することを可能とするＰＤＰの駆動方法を提供することができる。
【発明を実施するための最良の形態】
【０００９】
以下、本発明の一実施の形態によるＰＤＰの駆動方法について図面を用いながら説明するが、本発明の実施の形態はこれに制限されるものではない。
【００１０】
図１は本発明の一実施の形態によるＰＤＰの駆動方法により駆動されるＰＤＰの概略構成を示す分解斜視図である。
【００１１】
ＰＤＰ１は、対向して配置された前面基板２と背面基板３とを有している。前面基板２は、前面ガラス板４上に走査電極５と維持電極６とが互いに平行に対をなして複数対形成されている。そして、これらの走査電極５と維持電極６とを覆うように誘電体層７が形成され、この誘電体層７の表面を覆うように保護層８が形成されている。背面基板３は、背面ガラス板９上にデータ電極１０が互いに平行に複数形成され、このデータ電極１０を覆うように誘電体層１１が形成されている。そして、この誘電体層１１上にデータ電極１０と平行に隔壁１２が複数形成され、誘電体層１１の表面と隔壁１２の側面とに蛍光体層１３が形成されている。さらに、前面基板２と背面基板３とに挟まれた放電空間１４には、放電ガスが封入されている。
【００１２】
図２はＰＤＰ１の電極配列を模式的に示す図である。
【００１３】
列方向にｍ列のデータ電極Ｄ１〜Ｄｍ（図１のデータ電極１０）が配列され、行方向にｎ行の走査電極ＳＣＮ１〜ＳＣＮｎ（図１の走査電極５）とｎ行の維持電極ＳＵＳ１〜ＳＵＳｎ（図１の維持電極６）とが交互に配列されている。そして、１対の走査電極ＳＣＮｉ、維持電極ＳＵＳｉ（ｉ＝１〜ｎ）と１つのデータ電極Ｄｊ（ｊ＝１〜ｍ）とを含む放電セル１５が放電空間内にｍ×ｎ個形成されている。
【００１４】
次に、本発明の一実施の形態によるＰＤＰの駆動方法における駆動波形とそのタイミングについて説明する。なお本実施の形態においては、１フィールド期間が、初期化期間と、書き込み期間と、維持期間と、を有する第１〜第８サブフィールドから構成されているものとして説明するが、他のサブフィールド構成であってもよい。
【００１５】
図３は、本発明の一実施の形態によるＰＤＰの駆動方法における駆動波形を概略的に示す図である。
【００１６】
第１サブフィールドの初期化期間前半部では、全てのデータ電極Ｄ１〜Ｄｍおよび全ての維持電極ＳＵＳ１〜ＳＵＳｎを０（Ｖ）に保持し、全ての走査電極ＳＣＮ１〜ＳＣＮｎには、全ての維持電極ＳＵＳ１〜ＳＵＳｎに対して放電開始電圧以下の電圧Ｖｐ（Ｖ）から、放電開始電圧を越える電圧Ｖｒ（Ｖ）に向かって緩やかに上昇するランプ波形電圧を第１の上り傾斜波形電圧として印加する。このランプ電圧が上昇する間に、全ての放電セル１５において、全ての走査電極ＳＣＮ１〜ＳＣＮｎから全ての維持電極ＳＵＳ１〜ＳＵＳｎおよび全てのデータ電極Ｄ１〜Ｄｍにそれぞれ一回目の微弱な初期化放電が起こり、走査電極ＳＣＮ１〜ＳＣＮｎ上部に負の壁電圧が蓄積されるとともに、全てのデータ電極Ｄ１〜Ｄｍ上部および全ての維持電極ＳＵＳ１〜ＳＵＳｎ上部には正の壁電圧が蓄積される。
【００１７】
第１サブフィールドの初期化期間後半部では、全ての維持電極ＳＵＳ１〜ＳＵＳｎを正電圧Ｖｅ（Ｖ）に保ち、全ての走査電極ＳＣＮ１〜ＳＣＮｎには、全ての維持電極ＳＵＳ１〜ＳＵＳｎに対して放電開始電圧以下となる電圧Ｖｑ（Ｖ）から放電開始電圧を越える電圧Ｖａ’（Ｖ）に向かって緩やかに下降するランプ波形電圧を印加する。このランプ電圧が下降する間に、再び全ての放電セル１５において、全ての維持電極ＳＵＳ１〜ＳＵＳｎから全ての走査電極ＳＣＮ１〜ＳＣＮｎにそれぞれ二回目の微弱な初期化放電が起こり、全ての走査電極ＳＣＮ１〜ＳＣＮｎ上部の負の壁電圧および全ての維持電極ＳＵＳ１〜ＳＵＳｎ上部の正の壁電圧が弱められる。また、全てのデータ電極Ｄ１〜Ｄｍと全ての走査電極ＳＣＮ１〜ＳＣＮｎとの間にも微弱な放電が起こり、全てのデータ電極Ｄ１〜Ｄｍ上部の正の壁電圧は書き込み動作に適した値に調整される。以上により全ての放電セルを強制的に放電させる完全初期化動作が終了する。
【００１８】
第１サブフィールドの書き込み期間では、全ての走査電極ＳＣＮ１〜ＳＣＮｎを一旦Ｖｓｃａｎ（Ｖ）に保持し、データ電極Ｄ１〜Ｄｍのうち、一行目に表示すべき放電セル１５に対応するデータ電極Ｄｋ（ｋは１〜ｍの整数を表す）に正の書き込みパルス電圧Ｖｄａｔａ（Ｖ）を、一行目の走査電極ＳＣＮ１に走査パルス電圧Ｖａ（Ｖ）をそれぞれ印加する。このとき、正の書き込みパルス電圧Ｖｄａｔａ（Ｖ）を印加したデータ電極Ｄｋ上部と走査電極ＳＣＮ１上部との交差部における電圧差は、書き込みパルス電圧Ｖｄａｔａ（Ｖ）にデータ電極Ｄ１〜Ｄｍ上部の正の壁電圧が加算されたものとなり、放電開始電圧を超えるので、この交差部において、維持電極ＳＵＳ１と走査電極ＳＣＮ１との間およびデータ電極Ｄｋと走査電極ＳＣＮ１との間に書き込み放電が起こり、この交差部の走査電極ＳＣＮ１上部に正電圧が蓄積され、維持電極ＳＵＳ１上部に負電圧が蓄積され、書き込み放電が起こったデータ電極Ｄｋ上部に負電圧が蓄積される。一方、正の書き込みパルス電圧Ｖｄａｔａ（Ｖ）を印加しなかったデータ電極Ｄｌ（ｌは１〜ｍの整数を表す）上部と走査電極ＳＣＮ１上部との交差部における電圧差は放電開始電圧を超えないので書き込み放電は発生しない。
【００１９】
同様の書き込み動作をｎ行目の放電セルに至るまで行い、書き込み動作が終了する。
【００２０】
第１サブフィールドの維持期間においては、まず、全ての走査電極ＳＣＮ１〜ＳＣＮｎおよび維持電極ＳＵＳ１〜ＳＵＳｎを０（Ｖ）に一旦戻した後、全ての走査電極ＳＣＮ１〜ＳＣＮｎに正の維持パルス電圧Ｖｓｓ（Ｖ）を印加する。このとき、書き込み放電を起こした放電セル１５における走査電極ＳＣＮｉ上部と維持電極ＳＵＳｉ上部との間の電圧は、書き込み期間において、走査電極ＳＣＮｉ上部に蓄積された正の壁電圧および維持電極ＳＵＳｉ上部に蓄積された負の壁電圧を加算したものにさらに維持パルス電圧Ｖｓｓ（Ｖ）を加算したものとなり、放電開始電圧を超える。このため、書き込み放電を起こした放電セルにおいて、走査電極ＳＣＮｉと維持電極ＳＵＳｉとの間に維持放電が起こり、この維持放電を起こした放電セルにおける走査電極ＳＣＮｉ上部には負の壁電圧が蓄積され、維持電極ＳＵＳｉ上部には正の壁電圧が蓄積される。続いて、全ての走査電極ＳＣＮ１〜ＳＣＮｎを０（Ｖ）に戻し、全ての維持電極ＳＵＳ１〜ＳＵＳｎに正の維持パルス電圧Ｖｓｓ（Ｖ）を印加すると、維持放電を起こした放電セルにおける維持電極ＳＵＳｉ上部と走査電極ＳＣＮｉ上部との間の電圧は、再び放電開始電圧を超え、維持電極ＳＵＳｉと走査電極ＳＣＮｉとの間に維持放電が起こる。以降同様に、全ての走査電極ＳＣＮ１〜ＳＣＮｎと全ての維持電極ＳＵＳ１〜ＳＵＳｎとに正の維持パルス電圧Ｖｓｓ（Ｖ）を交互に印加することにより、書き込み放電を起こした放電セル１５に対してサブフィールドの輝度の重み付けに対応した回数だけ維持放電が継続して行われる。
【００２１】
一方、書き込み放電を起こさなかった放電セルにおける走査電極ＳＣＮｉ上部と維持電極ＳＵＳｉ上部の壁電圧は、第１サブフィールドの初期化期間後半部において弱められたままであるので、維持電圧印加時においても走査電極ＳＣＮｉ上部と維持電極ＳＵＳｉ上部との間は放電開始電圧を超えることがない。このため、書き込み放電を起こさなかった放電セルには維持放電を起こさない。
【００２２】
第２〜第８サブフィールドの初期化期間の後半部では、全ての維持電極ＳＵＳ１〜ＳＵＳｎを正電圧Ｖｅ（Ｖ）に保ち、全ての走査電極ＳＣＮ１〜ＳＣＮｎには０（Ｖ）からＶａ’（Ｖ）に向かって緩やかに下降するランプ波形電圧を印加する。このとき、維持放電を起こした放電セルにおいては、維持電極ＳＵＳｉから走査電極ＳＣＮｉ二回目の微弱な初期化放電が起こり、走査電極ＳＣＮｉ上部の負の壁電圧および維持電極ＳＵＳｉ上部の正の壁電圧が弱められる。また、データ電極Ｄｋと走査電極ＳＣＮｉとの間にも微弱な放電が起こり、電極Ｄｋ上部の正の壁電圧は書き込み動作に適した値に調整される。
【００２３】
一方、維持放電を起こさなかった放電セルは、走査電極ＳＣＮｉと維持電極ＳＵＳｉとの間の放電は起こらない。また、走査電極ＳＣＮｉとデータ電極Ｄｌとの間の放電も発生しない。
【００２４】
また、維持放電を起こさなかった放電セルのうち、隣接放電セルの書き込み放電あるいは維持放電の影響を受けてデータ電極Ｄｌ’上部の正の壁電圧に不足を生じた放電セルに対しては、走査電極ＳＣＮｉと維持電極ＳＵＳｉ間の放電は起こらない。しかし、データ電極Ｄｌ’と走査電極ＳＣＮｉとの間には微弱な放電が起こり、電極Ｄｌ’上部の正の壁電圧は書き込み動作に適した値に調整される。
【００２５】
以上のように、（１）維持放電を起こした放電セル、（２）維持放電を起こさなかった放電セル、（３）維持放電を起こさなかった放電セルのうち隣接する放電セルの書き込み放電あるいは維持放電の影響を受けてデータ電極上部の正の壁電圧に不足を生じた放電セル、のいずれの場合の放電セルにおいても、走査電極、維持電極、データ電極の各電極上部の壁電圧は第１サブフィールドにおける完全初期化動作終了時の壁電圧と等しくなる。
【００２６】
第２〜第８サブフィールドの書き込み期間、維持期間については第１サブフィールドにおける動作と同様であるため説明を省略する。なお、本実施の形態のＰＤＰの駆動方法においては、第１サブフィールドの初期化期間において完全初期化動作を行ったが、完全初期化動作は、他の任意のサブフィールドの初期化期間に行ってもよく、また、複数フィールドに１回（たとえば２フィールドに１回）行ってもよい。
【００２７】
図４は、本発明の一実施の形態によるＰＤＰの駆動方法を行うプラズマ表示装置５０の概略構成を示すブロック図である。プラズマ表示装置５０は、映像を表示するＰＤＰ１と映像信号に従ってＰＤＰ１の放電セルを選択的に点灯させるための駆動装置１００とを有している。
【００２８】
駆動装置１００は、映像信号処理回路１０１、データ電極駆動回路１０２、タイミング制御回路１０３、走査電極駆動回路１０４および維持電極駆動回路１０５を有している。映像信号および同期信号は、映像信号処理回路１０１に入力される。映像信号処理回路１０１は、映像信号および同期信号に基づいて、各サブフィールドを点灯するか否かを制御するサブフィールド信号をデータ電極駆動回路１０２に出力する。また、同期信号はタイミング制御回路１０３にも入力される。タイミング制御回路１０３は同期信号に基づいて、データ電極駆動回路１０２、走査電極駆動回路１０４、維持電極駆動回路１０５にタイミング制御信号を出力する。
【００２９】
データ電極駆動回路１０２は、サブフィールド信号およびタイミング制御信号に応じて、データ電極１０（図２のデータ電極Ｄ１〜Ｄｍ）にパルスを印加する。走査電極駆動回路１０４は、タイミング制御信号に応じて走査電極５（図２の走査電極ＳＣＮ１〜ＳＣＮｎ）にパルスを印加し、維持電極駆動回路１０５は、タイミング制御信号に応じて維持電極６（図２のＳＵＳ１〜ＳＵＳｎ）にパルスを印加する。データ電極駆動回路１０２、走査電極駆動回路１０４、維持電極駆動回路１０５には電源回路から必要な電力が供給されている。
【００３０】
ここで、焼きつきは、映像が一定時間の間、静止した際、点灯している放電セルと点灯していない放電セルとの放電開始電圧の差が大きくなることから発生する。そこで、焼きつきの発生を抑制するには、維持パルス電圧を高くするか、維持パルス電圧の回収時間を急峻にすることにより、点灯放電セルと非点灯放電セルの放電のタイミングを揃えることが有効である。
【００３１】
そこで、本発明の一実施の形態によるＰＤＰの駆動方法においては、焼きつきが発生する指標として、映像信号処理回路１０１により一定時間同一の映像信号を検知した場合とし、そのような場合には、図５に波形を模式的に示すように、維持パルス電圧の回収時間を急峻にする（１６ａ→１６ｂ）ことにより、点灯放電セルと非点灯放電セルの放電のタイミングを揃え、もって、焼きつきを早く消滅させることを可能としている。
【００３２】
ここで、図５（ａ）は通常時の波形であり、図５（ｂ）は、映像信号処理回路１０１により一定時間同一の映像信号を検知した場合の、維持パルス電圧の回収時間を急峻にした際の波形を模式的に示すものであり、１６ａ、１６ｂはそれぞれにおける回収時間を示す。
【００３３】
また、本発明の一実施の形態によるＰＤＰの駆動方法においては、映像信号処理回路１０１により一定時間同一の映像信号を検知した場合には、図６に波形を模式的に示すように、維持パルス電圧を高くする（１７ａ→１７ｂ）ことにより、点灯放電セルと非点灯放電セルの放電のタイミングを揃え、もって、焼きつきを早く消滅させることを可能としている。
【００３４】
ここで、図６（ａ）は通常時の波形であり、図６（ｂ）は、映像信号処理回路１０１により一定時間同一の映像信号を検知した場合の、維持パルス電圧を高くした際の波形を模式的に示すものであり、１６ａはそれぞれにおける回収時間、１７ａ、１７ｂはそれぞれにおける維持パルス電圧を示す。
【００３５】
なお、図６に示す場合において、図５に示す場合と同様の、映像信号処理回路１０１により一定時間同一の映像信号を検知した場合、回収時間１６ａも急峻にするという動作を組み合わせても良い。
【００３６】
また、以上の説明においては、焼きつきが発生する指標として、映像信号処理回路１０１により一定時間同一の映像信号を検知した場合としたが、特にこれに限るものではなく、焼きつきが発生することを認識する方法であれば、他の方法であっても良い。
【産業上の利用可能性】
【００３７】
以上のように本発明は、大画面、高精細のプラズマディスプレイパネルを提供する上で有用な発明である。
【図面の簡単な説明】
【００３８】
【図１】本発明の一実施の形態によるＰＤＰの駆動方法により駆動されるＰＤＰの概略構成を示す分解斜視図
【図２】本発明の一実施の形態によるＰＤＰの駆動方法により駆動されるＰＤＰの電極配列を模式的に示す図
【図３】本発明の一実施の形態によるＰＤＰの駆動方法における駆動波形を概略的に示す図
【図４】本発明の一実施の形態によるＰＤＰの駆動方法を行うプラズマ表示装置の概略構成を示すブロック図
【図５】本発明の一実施の形態によるＰＤＰの駆動方法における駆動波形を模式的に示す図
【図６】本発明の一実施の形態によるＰＤＰの駆動方法における駆動波形を模式的に示す図
【符号の説明】
【００３９】
１  ＰＤＰ
２  前面基板
３  背面基板
４  前面ガラス板
５  走査電極
６  維持電極
７  誘電体層
８  保護層
９  背面ガラス板
１０  データ電極
１１  誘電体層
１２  隔壁
１３  蛍光体層
１４  放電空間
１５  放電セル
１６a、１６ｂ  維持パルス電圧回収時間
１７a、１７ｂ  維持パルス電圧
５０  プラズマ表示装置
１００  駆動装置
１０１  映像信号処理回路
１０２  データ電極駆動回路
１０３  タイミング制御回路
１０４  走査電極駆動回路
１０５  維持電極駆動回路
【図１】
2010145905.tif 000003
【図２】
2010145905.tif 000004
【図３】
2010145905.tif 000005
【図４】
2010145905.tif 000006
【図５】
2010145905.tif 000007
【図６】
2010145905.tif 000008